Podtech/llm-jp-corpus-v4-ja_patent huggingface dataset:
(57)【要約】  【課題】不動産賃貸借、売買の直接取引を支援する為の自己取引支援システム。  【解決手段】多数の貸主、売主の物件情報を、一つのサイトにリンクすることによって、貸主、売主の物件情報を借主、買主が探しやすくし、効率的な供給、物件探しが出来る場所を提供する。また借主、買主は今まで物件情報しか手に入らなかったが、貸主、売主の自己紹介やサイト、メール、コメントを通じて物件情報以外の情報を知る事が出来、貸主、売主の人柄も借りる時の判断条件にすることが出来る。  【選択図】  図１
2006318324.tif 000002
【特許請求の範囲】
【請求項１】
核となるサイトと、貸主、売主のサイトが別々の運営者によって運営され、貸主、売主サイトの運営者が核サイトにリンク（トラックバック）をはる主導権もち、核サイトと貸主、売主サイトの複数のサイトからなる一つの共同体形式をとることを特徴とする自己取引支援システム方法。
【請求項２】
前記の自己取引支援システムは、貸主、売主の人柄を知る情報を含むことを特徴とする請求項１記載の自己取引支援システム方法。
【発明の詳細な説明】
【技術分野】
【０００１】
本発明は、不動産賃貸、売買の仲介媒介方法に関し、特にサイト（ホームページ、ブログ）を使用した、自己取引支援システム方法に関するものである。
【背景技術】
【０００２】
従来不動産は不動産業者任せてしまう方法と、自分で借主、買主を探す方法であった。自分で探す方法の一つに、インターネット上にサイトを作り借主、買主に検索してもらう方法と、多くの人が集まるサイトにリンクしてもらう方法があった。
【特許文献１】特開２００２−３７３１９８号公報  この文献は、インターネット上の広告サイトに貸主、売主が物件を広告主に依頼して登録し、借主、買主がそのサイトを見て物件を探し貸主、売主と直接交渉する方法である。
【発明の開示】
【発明が解決しようとする課題】
【０００３】
従来からある不動産業者に頼む方法では、自分の物件を上手くアピールしてもらえなかったり、案内すらされていない事もあった。また業者のサイトに掲載してもらう方法でも自分で物件情報を管理できないため、有効なアピールが出来なかった。かといって自分で借主、買主を見つける方法では、営業力が足りなかった。インターネットが発達したおかげで貸主、売主は自ら情報を発信できるようになったが、ここでも多くの情報の中に自分の物件が埋もれてしまい、見てもらえなかった。集客力のあるサイトにリンクを依頼してもリンクしてもらえるかは分からなかった。また借主、買主は今まで物件情報だけで貸主売主がどういう人か知る情報が無く、悪徳な貸主、売主とトラブルになることもあった。よって借主、買主は借りる（買う）前に貸主、売主の人柄などが分かる方法が必要であった。また文献１では物件を登録する時広告主に依頼しなければならない手間と、後で自由に変更できない問題点があった。本発明では上記問題を解決することを目的とするものである。
【課題を解決するための手段】
【０００４】
本発明は上記の課題を解決するために核となるサイトと、貸主、売主のサイトが別々の運営者によって運営され、貸主、売主サイトの運営者が核サイトにリンク（トラックバック）をはる主導権もち、核サイトと貸主、売主サイトの複数のサイトからなる一つの共同体形式をとることを特徴とする。またこの自己取引支援システムは貸主、売主の人柄を知る情報を含むことを特徴とする自己取引支援システム方法。
【発明の効果】
【０００５】
本発明は上記構造から成り、以下に示す効果が期待できる。
１、貸主、売主は自分のサイトなので、いつでも自由に更新、管理することが出来るし、自分の意思でリンクをはったり、解除することができる。
２、核サイトもリンクが多くはられることにより知名度が上がり、集客力が上がる。借主、買主も核サイトにくれば、自分の探している物件を簡単に見つけることが出来、時間の節約になる。
３、借主、買主は貸主、売主のサイトを見て、過去のコメントや自己紹介などを見て貸主、売主の人柄を知ることが出来る。借主や買主は貸主や売主の表面的なアピール文章だけでなく過去のコメントや質問の回答から人柄を判断する材料に出来る。
４、サイトがそれぞれ役割分担することで、各サイト運営者の労力を減らすことが出来る。核サイト管理者は検索しやすいように力を注ぎ、貸主、売主は自分の物件のアピールに力を注げばよい。
５、借主がコメント欄に書く「探している物件情報」は、特に貸主にとって有効である。まだ前の入居者がいても次の入居者(借主)を探せる為、空室リスクを減らせるし、リフォームする時も、次の入居者(借主)の希望に合わせてリフォームすることが出来るなどメリットが多い。
【発明を実施するための最良の形態】
【０００６】
以下本発明の実施形態を、図面を参照にして説明する。図１に示すように核サイトＡはトップページ１と各地域（ジャンル）２からなる。貸主、売主は自分の物件情報を載せたサイトＢを持ち、貸主、売主は自分のサイトからＡ−２の自分の該当するところにリンクをはることで、核サイトＡの集客力を使用できる。借主、買主はまずＡ−１のトップページにきて自分の探している物件のページにリンクをたどって行き情報をえる。もし自分の探している物件が見つからなかった場合は、Ａ−２のコメント欄に探している物件の内容を残しておき、貸主、売主から事前情報をもらうことも出来る。探している物件が見つかれば直接貸主、売主と取引をする。このシステムは不動産以外にも物、情報、サービスの売買、紹介、仲介システムとして使うことができる。
【実施例】
【０００７】
このシステムのサイトはホームページやブログ、掲示板など単独でも、それぞれ混ぜて使ってもよい。
【図面の簡単な説明】
【０００８】
【図１】このシステムの流れ、つながり（リンク）を示している。
【符号の説明】
【０００９】
Ａ、核サイト（トップページと各ジャンル、地域からなる）
トップページ
各地域、ジャンル
Ｂ、貸主、売主のサイト
Ｃ、借主、買主
【図１】
2006318324.tif 000003
(57)【要約】      （修正有）【課題】受電極と針状電極の先端との適正な電極間距離を確保し、本体に簡単に組み立て固定出来る、通電端子付きの、針状電極ユニットを提供する。【解決手段】針状端子３と樹脂成形保持物１と通電端子となる金属加工物２を一体化した。【選択図】図１
2006318878.tif 000002
【特許請求の範囲】
【請求項１】
針状電極の機能を、樹脂成型保持物と金属加工物、針状端子で一体化し、これを機器の組み立てに使用する事で、組立作業を簡単に出来る様にした、針状電極ユニット製品である。
【発明の詳細な説明】
【技術分野】
【０００１】本発明はイオン発生を行う部分の針状電極の受電極に対して、指定された適正距離と固定を、簡単に保持する事を目的とした、針状電極のユニット製品である。
【背景技術】
【０００２】  従来の針状電極は本体に直挿しであり、指定の適正距離を調整で検出するのに多くの時間を要し、コスト高になっている。
【発明の開示】
【発明が解決しょうとする課題】
【０００３】針状電極は受電極に対して、適性な距離を保持しなければならず、針状端子取り付け後、個々に調整を必要とし、その後も安定に保持できなければならない。その為作業性が悪くコスト高になる。
【課題を解決するための手段】
【０００４】針状端子を固定する図−１の（イ）、及び図１の（ロ）、図１の（ハ）を端子差込機で同時一体化し、ユニット針状端子図１の（ニ）とした製品である。
【発明を実施するための最良の形態】
【０００５】ユニット針状端子製品図１の（ニ）を本体の取り付け穴に差し込むだけで、指定された受電極と針状電極の先端距離を安定に保持、固定することが出来、作業効率が良くなった。
【実施例１】
【０００６】図１の（ニ）は本体に取り付ける針状電極ユニット製品の全体構造を示す図１の（イ）は針状端子を固定する樹脂成型の保持物の構造、図１の（ロ）は金属加工の構造、図１の（ハ）は針状端子を示す。
【実施例２】
【０００７】図２は針状電極ユニット製品を本体に取り付け、使用した全体構造を示す。
【発明の効果】
【０００８】本発明の針状電極ユニット製品を使用する事で、電極間の調整が本体で必要無く、組み立てが簡単に出来、機能を十分維持出来、作業コストが安くなった。
【図面の簡単な説明】
【０００９】
【図１】針状電極ユニット製品図１（ニ）と、樹脂成型保持物図１（イ）、金属加工物（ロ）、針状端子図１（ハ）の構造を示す。
【図２】本体に図１（ニ）を取り付けた全体構造図。
【符号の説明】
【００１０】１  樹脂成型の保持物
２  金属加工物
３  針状端子
４  本体
５  受電極
【図１】
2006318878.tif 000003
【図２】
2006318878.tif 000004
(57)【要約】【課題】  長寿命の密閉型鉛蓄電池を提供する。【解決手段】  正極活物質に過酸化鉛、負極活物質に金属鉛、電解液に希硫酸を用いた鉛蓄電池において、正極の容量が負極の容量よりも小さく、電解液中に負極の水素過電圧を上昇せしめて負極の活性の劣化を防止する添加剤を含み、負極の鉛連結部または負極と等電位にある導体部の電解液と上部空間をまたぐ部分に酸素ガス吸収用カーボン層を有する鉛蓄電池。【選択図】  図１
2006318879.tif 000002
【特許請求の範囲】
【請求項１】
正極活物質に過酸化鉛、負極活物質に金属鉛、電解液に希硫酸を用いた密閉型鉛蓄電池において、正極の容量が負極の容量よりも小さく、電解液中に負極の水素過電圧を上昇せしめて負極の活性の劣化を防止する添加剤を含み、負極の鉛連結部または負極と等電位にある導体部の電解液と上部空間をまたぐ部分に酸素ガス吸収用カーボン層を有することを特徴とする密閉型鉛蓄電池。
【請求項２】
請求項１において、負極の活性の劣化を防止する添加剤が、ポリビニルアルコール、ポリアクリル酸塩、カーボキシメチルセルロースよりなる有機ポリマー群の内の少なくとも一つである密閉型鉛蓄電池。
【発明の詳細な説明】
【技術分野】
【０００１】  本発明は、長寿命の密閉型鉛蓄電池の構成に関する。
【背景技術】
【０００２】  密閉型鉛電池は補水の必要が無いことと、横倒しにしても電解液の硫酸が流出しない等の利点から米国では乗用車やトラックの８０〜９０％程度に使用されており、日本でも老人・障害者用の車椅子などには密閉型鉛電池が普及している。また、最近では、コンピューターの無停電電源（ＵＰＳ）等に小型や大型の密閉型鉛電池が広く用いられている。密閉型鉛電池は、一般に負極よりも正極の容量を小さくし、充電の際に正極が先に満充電となり、正極から酸素ガスが発生して、このガスがガラスマットセパレーターの空隙を通って負極に拡散し、負極表面で水素イオンと反応して水に戻るように設計されている。しかしながら、従来の密閉型鉛蓄電池では、長期間使用すると負極がサルフェーションを起こして容量が低下し、ついには正極の容量より小さくなり、その結果、充電の終期に負極から水素ガスが発生し、この水素ガスの放出に伴ない電解液が減少して電気容量が減少したり、水素ガスが電槽内に蓄積して電槽の破裂をもたらす欠点があった。
【発明の開示】
【発明が解決しようとする課題】
【０００３】  本発明は、密閉型鉛蓄電池のかかる欠点を解決することを目的として、密閉型鉛蓄電池の電解液中に負極の水素過電圧を上昇せしめる少量の有機ポリマーを添加することによって負極のサルフェーションを防止し、これによって長期間使用後も負極の容量が低下することを防止し、充電の終期に主として酸素ガスのみが発生する構成とし、更にこの発生した酸素ガスを負極連結部または負極と等電位にある導体部の電解液と上部空間をまたぐ部分に設けたカーボン層により水素イオンと反応させて水にするものである。
【課題を解決するための手段】
【０００４】  本発明は、正極活物質に過酸化鉛、負極活物質に金属鉛、電解液に希硫酸を用いた密閉型鉛蓄電池において、正極の容量が負極の容量よりも小さく、電解液中に負極の水素過電圧を上昇せしめて負極の活性の劣化を防止する添加剤を含み、負極の鉛連結部または負極と等電位にある導体部の電解液と上部空間をまたぐ部分に酸素ガス吸収用カーボン層を有する密閉型鉛蓄電池であり、好ましくは、前記負極の活性の劣化を防止する添加剤が、ポリビニルアルコール、ポリアクリル酸塩、カーボキシメチルセルロースよりなる有機ポリマー群の内の少なくとも一つである密閉型鉛蓄電池である。
【発明の効果】
【０００５】  本発明においてポリビニルアルコール等の添加剤を電解液中に加えることにより、負極の水素過電圧は１００ミリボルト程度上昇し、更に放電に伴なって負極に生成する硫酸鉛の結晶が微細となる結果、負極の容量の劣化が抑制され、正極の容量が負極の容量よりも小さい状態が長期間にわたり維持され、充電の終期において、鉛蓄電池の電槽内では主として酸素ガスのみが発生する。【０００６】  この酸素ガスは、本発明の負極連結部または負極と等電位にある導体部の電解液と上部空間をまたぐ部分に設けたカーボン層に到達すると
【化１】
2006318879.tif 000003
の電気化学反応により電解液中の水素イオンおよび負極から供給される電子と結合して水になり、電槽内のガス圧力の上昇は抑制される。また電解液中の水の消失も抑止される。酸素ガスを負極で電気化学的に水素イオンと反応させることは従来の密閉型鉛蓄電池でも行なわれていたが、本発明ではカーボン層を設けることによりその反応が一層円滑に進行する。【０００７】  本発明における水素過電圧を上昇せしめる有機ポリマーは、ポリビニルアルコール、ポリアクリル酸塩、カーボキシメチルセルロース等を用いることができ、その電解液中の濃度は０．０４％ないし０．２％であることが望ましい。濃度が０．０４％未満では負極における水素過電圧を上昇せしめる効果が不充分であり、０．２％より大きいと電解液の粘度が上昇して発泡等の悪影響があるので好ましくない。【０００８】  本発明で使用するカーボン層は酸素ガスをその表面に吸着して水素イオンと電気化学的に反応させる一種のガス電極として働くもので、カーボン層は多孔質であるか、微粒子から成ることが望ましい。また、このカーボン層は負極連結部の電解液と上部空間をまたぐ表面に設けるのが最も簡便であるが、負極に電気的に接続された導体の電解液と上部空間をまたぐ表面にカーボン層を設けた構造としても良い。【０００９】  なお、本発明において、長期間の使用や過酷な条件等により負極が極度に劣化したり、添加剤の分解が進行する等の不測の事態により、電槽内の圧力が上昇することを防止するため、従来の密閉型鉛蓄電池で採用されていた安全弁を電槽に設けることが望ましい。
【発明を実施するための最良の形態】本発明を図１の実施例に基いて説明する。
【実施例】
【００１０】  図１の電槽１の内部には、複数の負極２と複数の正極３がセパレーター４を介して配置されており、複数の負極３は相互に連結されて負極連結部５を経由して外部端子６に繋がっている。この負極連結部５の電解液７と上部空間８との界面９をまたぐ部分にはカーボン層１０が設けられている。充電終期に正極３で発生した酸素ガスは電槽１の上部空間８を拡散してカーボン層１０に到達し、その表面で電気化学反応により水素イオンと結合して水となる。万一、電槽内の気体の圧力が異常に上昇した場合は安全弁１１が開いてガスを放出する。
【図面の簡単な説明】
【００１０】
【図１】  本発明による密閉型鉛蓄電池の横断面の模式図
【符号の説明】
【００１１】１  電槽
２  負極
３  正極
４  セパレーター
５  負極連結部
６  外部端子
７  電解液
８  上部空間
９  界面
１０  カーボン層
１１  安全弁
【図１】
2006318879.tif 000004
(57)【要約】【課題】  本発明は、屋内外に設けられた普及型コンセントに、直接接続できるプラグを有した震動感知式マルチタップを提供する。【解決手段】  屋内外に設けた普及型コンセントに、直接接続できるプラグを有したケースを設け、ケース内部には、電路を遮断する遮断装置と地震発生時に遮断装置に動作信号を送ることのできる振り子式装置を有し、また、ケース外部には、電化製品等のプラグを接続することのできるコンセントを単複数設けていることを特徴とする。【選択図】  図１
2006318881.tif 000002
【特許請求の範囲】
【請求項１】
（イ）屋内外に設けた普及型コンセントに、直接接続できるプラグを有したケースを設け    る。
（ロ）ケース内部に、遮断装置と地震発生時に遮断装置に動作信号を送ることのできる振    子式装置を有し、また、ケース外部に電化製品等のプラグを接続することのできるン    セントを単複数設ける。
（ハ）振り子式装置の原理は、吊設した電導性の棒状の振り子の周囲に電導性のリング体    を設ける。
（ニ）揺れにより互いが接触した場合に遮断装置に動作信号を送る単純なしくみである。
（ホ）本体ケースに直接プラグ及びコンセントを有している。
（ヘ）遮断装置が作動した場合、その効果を受けるコンセントと効果を受けないコンセン    トを設ける。
（ト）振り子式装置のリング体を上下に移動させることが可能で可変式である。
以上のような構成よりなる震動感知式マルチタップ。
【発明の詳細な説明】
【技術の分野】
【０００１】  本発明は、屋内外に設けられた普及型コンセントに、直接接続できるプラグを有した震動感知式マルチタップに関するものである。
【背景技術】
【０００２】  従来、感震電源遮断器を電気機器本体に内蔵している機器等を含めて、地震等災害時には電気機器および電源コード等の破損や短絡により、通電火災の発生が起こる可能性がある。
それを防止する、感震電源遮断器（特許公開平１１−２６０４９１）。
地震が発生したときに、確実に電気機器への電源供給を遮断する感震電流遮断装置（特許公開平１１−２８８６４８）。
地震などの外部振動に反応して自動的にスイッチが入り、光などを発した後に自動的にスイッチが切れる振動反応型スイッチ（特許公開２００４−１２７８９９）。
などがあった。
【発明の開示】
【発明が解決しようとする課題】
【０００３】  このため、次のような問題点があった。
（イ）感震構造が複雑なため、コスト高及び体積大である。
（ロ）発明品本体にプラグ及びコンセントを直接有していないため、装置を導入するため    には電気的知識の有識者の助力が必要である。
（ハ）発明品に接続される全ての電路へ遮断効果をもたらせてしまうため、遮断を要する    電化製品・不要とする電化製品の接続選択が不可能である。
（ニ）使用者が求める揺れの大きさに応じた感震装置の作動調整が困難である。
本発明は、以上のような欠点をなくすためになされたものである。
【課題を解決するための手段】
【０００４】（イ）屋内外に設けた普及型コンセントに、直接接続できるプラグを有したケースを設け    る。
（ロ）ケース内部に、遮断装置と地震発生時に遮断装置に動作信号を送ることのできる振    子式装置を有し、また、ケース外部に電化製品等のプラグを接続することのできるン    セントを単複数設ける。
（ハ）振り子式装置の原理は、吊設した電導性の棒状の振り子の周囲に電導性のリング体    を設ける。
（ニ）揺れにより互いが接触した場合に遮断装置に動作信号を送る単純なしくみである。
（ホ）本体ケースに直接プラグ及びコンセントを有している。
（ヘ）遮断装置が作動した場合、その効果を受けるコンセントと効果を受けないコンセン    トを設ける。
（ト）振り子式装置のリング体を上下に移動させることが可能で可変式である。
以上のような構成よりなる震動感知式マルチタップである。
【発明の効果】
【０００５】（イ）一般量産普及している遮断装置と単純構造の振り子式装置を同ケース内に設けてい    るため、コスト安及び小型での製造が可能である。
（ロ）本体ケースにプラグ及びコンセントを有しているため、電気的知識の乏しい者でも    容易に目的に応じた使用が可能である。
（ハ）コンセントを単数設ける場合は、ケース内部に有する遮断装置が作動した場合に、    その効果によりコンセント及びそれに接続された電化製品への電気の供給が停止され    る。
コンセントを複数設ける場合は、遮断装置の作動効果により、電気の供給が停止さ    れるものと、遮断装置の作動に関係なく電気が供給されるものとにする。
これにより、使用者自身が遮断の有効性を選択することが可能である。
（ニ）振り子式装置のリング体を上下に移動できるようにしたことにより、吊設棒とリン    グ体との接触率を可変させることができ、揺れの大きさや必要に応じて使用者自身が    遮断機の動作調整を行うことができる。
【発明を実施するための最良の形態】
【０００６】  発明の実施形態について説明する。
ケース内部に遮断装置（ｄ）及び振り子式装置（ｃ）を有し、ケース背面には設営型コンセント（Ｎ・Ｌ）へ直接接続できるプラグ（１）、発明品プラグ（Ｎ１・Ｌ１）を、ケース前面には電化製品等のプラグを直接接続することのできるコンセント（４）、コンセント（５）、発明品コンセント（Ｎ２・Ｌ２）を単複数設けている。
また、ケース側面には内部のリング体を上下移動させることのできる感震調整つまみ（２）を有している。
本発明は、以上の構成になっている。
これを使用する時は、一般家庭１００Ｖ電源のコンセント（Ｎ・Ｌ）へ発明品プラグ（１）、発明品プラグ（Ｎ１・Ｌ１）を接続する。
内蔵する遮断装置（ｄ）は、電圧引外装置（ｈ）と変流器（ｆ）を有しコンセント（４）、発明品コンセント（Ｎ２・Ｌ２）へと出力されている。
通常、変流器（ｆ）の中を通っている電流が等しい時は、漏洩電流は検出されないので電圧引外装置（ｈ）は動作しない。
地震などの振動により振り子棒（ａ）とリング体（ｂ）とが接触し、赤破線のように電流が流れると変流器（ｆ）の中を通っていない回路が発生し、漏洩電流検出（ｇ）が働き、０．１秒以内に電圧引外装置（ｈ）によりコンセント（４）、発明品コンセント（Ｎ２・Ｌ２）への電流を遮断させる。
遮断装置（ｄ）作動後は、遮断装置（ｄ）の有する復帰スイッチ（３）を手動で入れるまで、その効果を受けるコンセント（４）、発明品コンセント（Ｎ２・Ｌ２）への電気供給は停止される。
【図面の簡単な説明】
【０００７】
【図１】  本発明の斜視図である。
【図２】  本発明の回路図である。
【符号の説明】
【０００８】１  プラグ
２  感震調整つまみ（上に上げると鈍感に、下に下げると敏感になる）
３  復帰スイッチ
４  遮断効果のあるコンセント
５  遮断効果のないコンセント（コンセントを複数設ける場合）
ａ  振り子棒
ｂ  リング体
ｃ  振り子装置
ｄ  遮断装置
ｅ  設営コンセント＆発明品プラグ
ｆ  変流器
ｇ  漏洩電流検出
ｈ  電圧引外装置
Ｎ・Ｌ  設営コンセント
Ｎ１・Ｌ１  発明品プラグ
Ｎ２・Ｌ２  発明品コンセント（遮断装置の効果を受けるもの）
【図１】
2006318881.tif 000003
【図２】
2006318881.tif 000004
(57)【要約】【課題】二酸化炭素を溶解した水溶液を用いることで、化学薬品を用いて処理したダイヤモンドと同等の表面状態を有した表面改質ダイヤモンド粒子とその製造方法を提供する。【解決手段】温水中に二酸化炭素を溶解した二酸化炭素飽和水溶液を用いることを特徴とする表面改質工程が提供される。表面改質工程では、適正温度２０℃〜１００℃、適正処理時間１ｈ〜２４ｈである。【選択図】なし【特許請求の範囲】
【請求項１】
ダイヤモンド粉末を二酸化炭素飽和水溶液に浸漬し、温水中で保持することによりダイヤモンドの表面にメチルホーメートを形成させることを特徴とするダイヤモンド粉末の表面処理方法
【発明の詳細な説明】
【技術分野】
【０００１】  本発明はダイヤモンド粉末の表面処理方法に関する。
【背景技術】
【０００２】  ダイヤモンド粉末は、砥粒として研削工具に用いられている。研削工具は、砥粒と骨格材を混合し、成型され製品となる。研削工具の性能を向上させ、品質を管理するためには、砥粒（ダイヤモンド）と結合材（有機材料）との間の結合力・砥粒保持力の向上が重要である。
従来、ダイヤモンドと有機材料の結合強度向上には、ダイヤモンドに金属コーティングを施し、コーティングの凹凸による保持力を向上させる方法や、ダイヤモンド表面を改質させ化学吸着力を強化する方法がある。後者の方法では、ホルムアルデヒド及びカルボン酸による表面改質方法が報告されている。しかし、これら化学薬品を用いた処理方法は、それら化学薬品の費用と化学薬品を処理する費用が問題となっている。
【非特許文献１】Ｈ．Ｖｉｓｂａｌ，Ｃ．Ｉｓｈｉｚａｋｉ  ａｎｄ  Ｋ．Ｉｓｈｉｚａｋｉ，“Ｍｏｄｉｆｉｃａｔｉｏｎ  ｏｆ  Ｄｉａｍｏｎｄ  Ｐｏｗｄｅｒ  ｗｉｔｈ  Ｆｏｒｍａｌｄｅｈｙｄｅ  Ｓｏｌｕｔｉｏｎ”，Ｊｏｕｒｎａｌ  ｏｆ  ｔｈｅ  Ｃｅｒａｍｉｃ  Ｓｏｃｉｅｔｙ  ｏｆ  Ｊａｐａｎ，１１３１［５］，（２００５），３３４−３４８
【発明の開示】
【発明が解決しようとする課題】
【０００３】  本発明では、二酸化炭素を溶解した水溶液を用いることで、化学薬品を用いて処理したダイヤモンドと同等の表面状態を有した表面改質ダイヤモンド粒子とその製造方法を提供する。表面改質したダイヤモンド粒子と有機材料の混合物は、結合力が向上する。
【課題を解決するための手段】
【０００４】  上記目的を解決するために、本発明によれば温水中に二酸化炭素を溶解した二酸化炭素飽和水溶液を用いることを特徴とする表面改質工程が提供される。表面改質工程では、適正温度２０℃〜１００℃、適正処理時間１ｈ〜２４ｈである。
【発明の効果】
【０００５】  本発明によれば、二酸化炭素を溶解した水溶液を用いることで、化学薬品を用いて処理する方法に比べて、安価かつ安全な工程を提供する。表面改質ダイヤモンド粒子は有機材料と強く結合することができる。
【発明を実施するための最良の形態】
【０００６】  本発明では、温水中に二酸化炭素を溶解し二酸化炭素飽和水溶液を用いることに最大の特徴がある。二酸化炭素が水に溶解する際、炭酸分子が形成される。炭酸は弱酸であり、水中で安定であるが、ある条件下において、ＨＣＯ３−イオンとＨ＋イオンに分離し、ダイヤモンド表面にメチルホーメートを形成する。【０００７】  二酸化炭素飽和水溶液によるダイヤモンド粒子の表面改質は、適正温度２０℃〜１００℃である。２０℃以下では反応速度が遅く、１００℃以上では水の沸点に達してしまい表面改質されない。適正処理時間は０．２ｈ〜２４ｈである。０．２ｈ以下では表面に十分な改質効果は得られない。また、２４ｈ以上では表面改質効果は向上しない。
【実施例１】
【０００８】  温水中に二酸化炭素（純度９９．９％）を溶解し、二酸化炭素飽和水溶液を作製した。粒径５〜１２μｍのダイヤモンド粉末、０．０６ｇを２７ｍｌの二酸化炭素飽和水溶液とともにフラスコに投入した。フラスコを密閉し、ガスの逆流を阻止した。フラスコはオイルバスに入れて、オイルバスの温度を制御した。【０００９】  処理時間を０〜９ｈ、反応温度を６０〜１００℃に設定した。処理後のダイヤモンド粉末を、蒸留水を用いて数回洗浄し、２０ｈ，１２０℃で乾燥させた後、表面分析を行なった。表面分析の結果、化学薬品を用いて処理したダイヤモンド表面と同等の表面状態であった。【００１０】  図１中の２２５０−２１００ｃｍ−１はダイヤモンドのＩＲバンドである。ＩＲバンド外の領域において大きな違いが見られる。３０００−２８００，１６００−４００ｃｍ−１の領域において処理無しのダイヤモンドと有りのものとの間に最も大きな差が見られる。
【実施例２】
【００１０】  表面処理したダイヤモンド粒子とレジンの混合物を作製し、強制振動式ヤング率測定機により、混合物のヤング率と内部摩擦係数を測定した。その結果、表面改質処理したダイヤモンド粒子を用いた混合物は、ヤング率と内部摩擦係数ともに値が大きくなった。下記の表に実施例２を実行した場合の測定値を示す。【００１１】
【表１】
2006321699.tif 000002
【図面の簡単な説明】
【００１２】
【図１】ダイヤモンド粉末の赤外分光分析の結果を示した図である。（実施例１）
【図１】
2006321699.tif 000003
(57)【要約】【課題】  従来提案されている発毛育毛剤とは別なメカニズムによる発毛もしくは育毛効果が期待できる新規な発毛育毛剤を提供する。【解決手段】  わかめのめかぶ、もずくなどの海藻を細かく刻んだものを、布で濾すことにより海藻粘性物質を抽出し、ツルドクダミおよびサルビアをすり鉢ですり潰したものに混ぜ合わせる。更に、浸透圧を高めるために塩水を加えて、もう一度、布で濾すことにより、粘性の高い発毛育毛剤を作成する。これを頭皮に直接塗布することにより１日１回程度処方する。【特許請求の範囲】
【請求項１】
海藻粘性物質と、ツルドクダミの茎、葉、花または根から得られた抽出物と、サルビアの茎、葉、花または根から得られた抽出物と、塩水と、を主成分とする発毛育毛剤。
【発明の詳細な説明】
【技術分野】
【０００１】
本発明は、発毛育毛剤に関し、特に、頭皮に塗布することにより、発毛もしくは育毛を促進させる機能をもった発毛育毛剤に関する。
【背景技術】
【０００２】
発毛育毛剤は、古くから様々な成分のものが提案されている。たとえば、下記の特許文献１には、霊芝から抽出した有効成分を配合した発毛育毛剤が開示されており、下記の特許文献２には、海藻から抽出した有効成分を配合した発毛育毛剤が開示されている。
【特許文献１】特開平８−３３３２２３号公報
【特許文献２】特開平９−１２４４４１号公報
【発明の開示】
【発明が解決しようとする課題】
【０００３】
現在市販されている様々な発毛育毛剤の多くは、その主成分がどのような原理で発毛もしくは育毛効果を発揮するのか、詳細な理論的解析はなされておらず、血行促進などの間接的な理由は指摘されているものの、発毛や育毛を促進させる直接的なメカニズムは今後の研究に委ねられている。このため、特定の発毛育毛剤は、ある一部の被験者については非常に有効に作用することが認められるが、別の被験者については、何ら有効性が見られないことも少なくない。
【０００４】
そこで本発明は、従来提案されている発毛育毛剤とは別なメカニズムによる発毛もしくは育毛効果が期待できる新規な発毛育毛剤を提供することを目的とする。
【課題を解決するための手段】
【０００５】
本発明は、海藻粘性物質と、ツルドクダミの茎、葉、花または根に含まれている成分と、サルビアの茎、葉、花または根に含まれている成分と、塩水と、によって発毛育毛剤を構成するようにしたものである。
【発明の効果】
【０００６】
本発明に係る発毛育毛剤を頭皮に塗布することにより、有意な発毛もしくは育毛効果を得ることができる。
【発明を実施するための最良の形態】
【０００７】
本願発明者は、次のようなプロセスにより、本発明の実施例に係る発毛育毛剤を作成した。まず、わかめのめかぶ（根の部分）を細かく刻んだものを、布で濾すことにより海藻粘性物質を抽出した。一方、ツルドクダミ（茎，葉，花，根を含む）およびサルビア（茎，葉，花，根を含む）をすり鉢ですり潰し、これに前掲の粘性物質を混ぜ合わせた。更に、これらの混合物に濃度３０％の塩水を加えて、もう一度、布で濾すことにより、実施例に係る発毛育毛剤を作成した。得られた発毛育毛剤における各材料の混合比は、総重量を１００とした重量比において、海藻粘性物質７０、ツルドクダミ５、サルビア５、塩水２０の割合である。海藻粘性物質の割合が多いため、全体として、粘性率の高いヌルヌルした薬剤となっている。
【０００８】
当該実施例に係る発毛育毛剤を、１０名の被験者の頭皮に１日１回塗布する実験を１ヶ月間行ったところ、１０名中８名の被験者から、発毛もしくは育毛の促進効果が自覚できる旨の回答が得られた。本剤は、洗浄して清潔な状態にした頭皮に直接塗布し、そのまま５分間ほど放置して皮膚内部へと浸透させ、５分経過後、ぬるま湯などで頭皮全体を洗い流すようにし、最後に、頭皮の水分をタオルなどで拭き取って乾燥させた。効果には、個人差があり、必ずしも顕著な効果が現れなかったケースもあるが、概ね良好な結果が得られた。特に、頭髪がやや薄くなったと感じられる部分に適用したところ、半月後あたりから、発毛育毛促進効果が認められるとの報告が、多くの被験者から得られた。発毛育毛効果をより増強させるためには、本剤を頭皮に塗布した後、２分間ほど経過した時点で、頭皮を軽くマッサージし、更に、２〜３分間そのまま放置して薬剤の浸透を待つのが好ましい。
【０００９】
本発明に係る発毛育毛剤の必須構成要素は、海藻粘性物質、ツルドクダミ抽出物、サルビア抽出物、塩水の４点である。海藻粘性物質は、海藻から抽出したネバネバしたゲル状の構成要素であり、上述の実施例では、わかめのめかぶから抽出した粘性物質を用いたが、昆布、もずく、といった海藻から抽出した粘性物質でも同等の効果が得られたことから、本願発明者は、海藻から抽出したゲル状の粘性物質であれば、どのような海藻を用いて得られたものであってもかまわないと考えている。
【００１０】
ツルドクダミは、中国名「何首鳥（かしゅう）」と呼ばれ、漢方の生薬として古くから処方されている植物であり、コレステロール値を下げる効果や、滋養強壮剤としての効果が知られている。一方、サルビア（英語名：セージ）は、シソ科に属する植物で、ローマ時代から万病ハーブとしての効用が知られている。また、植物性エストロゲンを含み、ホルモン分泌の調整や免疫反応を強化する働きがあるとされている。本願に係る発毛育毛剤において、ツルドクダミおよびサルビアのどの成分が有効成分として機能しているのかを特定することはできていないが、いずれも、茎，葉，花，根のどの部分を用いても本発明に係る効果を奏することができた。特に、ツルドクダミの根の部分とサルビアの葉の部分を多く含ませた実施例では、より秀れた発毛育毛促進効果が得られた。本発明では、ツルドクダミ抽出物およびサルビア抽出物の相乗効果が重要な要素になると考えられる。
【００１１】
塩水は、発毛育毛効果に直接的に関与するものではないが、本願発明者は、頭皮に対して有効な浸透圧を得るために必須の構成要素と考えている。この浸透圧効果を得るためには、最終的に得られる薬剤の塩分濃度が３％以上となるようにするのが好ましい。また、塩水は、保湿効果や殺菌効果を有する材料としても知られている。本発明に係る発毛育毛剤では、高い粘性をもった海藻粘性物質と塩水による浸透圧との相乗効果により、ツルドクダミおよびサルビアの有効性分が、頭皮の塗布部分に有効に浸透する効果が得られるものと考えられる。特に、海藻粘性物質には、そのゲルとしての性質から、頭皮や毛穴に付着した垢、皮脂などの汚れを効果的に除去する機能が期待でき、更に、塩水による浸透圧効果が加わることにより、頭皮や毛穴から本剤の有効成分が浸透しやすくなる効果が得られるものと考えられる。
【００１２】
なお、本発明に係る発毛育毛剤の必須構成要素は、上述した４点の成分であるが、それ以外の成分を排斥するものではない。したがって、この４点の成分を含む薬剤に、更に、通常の化粧品などに含まれている基材原料を、本発明の効果を損なわない程度に配合してもかまわない。また、海藻粘性物質、ツルドクダミ、サルビアとしては、これらの乾燥粉末物を水に溶かして得られるものを用いるようにしてもかまわない。
(57)【要約】      （修正有）【課題】    大麦若葉エキス末の活性酸素除外酵素のSODにより皮膚に存在する過酸化脂質の生成を除外することになり皮膚は老化防止効果の抵抗力が増し防シワ・美白効果が顕著に得られる皮膚化粧料を提供できる。【解決手段】    大麦若葉エキス末に含まれているSOD酵素により活性酸素による酸化を防ぎ1.3-ブチレングリコール・グリセリン等の保湿作用により皮膚の水分を保持・シワ防止の役目を果たし、活性酸素の除去によりメラニン色素の発生を抑制する。【選択図】なし【特許請求の範囲】
【請求項１】
化粧品原料の一部として大麦若葉エキス末のSOD酵素を活用する
【発明の詳細な説明】
【発明の開示】
【発明が解決しようとする課題】
【０００１】
活性酸素除外酵素のSODにより皮膚に存在する過酸化脂質の生成を除外すること
になり皮膚は老化防止効果の抵抗力が増し防シワ・美白効果が顕著に得られる
化粧品を提供できる。
【課題を解決するための手段】
【０００２】
過酸化脂質の酸化防止が認められている安全性の高い大麦若葉エキス末のSOD
酵素を活用する。
【発明の効果】
【０００３】
皮膚は元々SOD酵素を持っているが年齢と共に減少する為化粧品に大麦若葉エ
キス末を配合しSOD酵素を補い皮膚の老化・美白・抗炎作用を高める。
【特許文献１】特許第３５５８３４９号
【特許文献１】特開２００３−１１３０６８
【実施例１】
【０００４】
クレイパック
本化粧品はベンナイト・カオリン・酸化チタン・大麦若葉エキス末・1.3-ブチ
レングリコール・グリセリン・メチルパラベン・ポリビニルアルコール・ 精
製水
【産業上の利用可能性】
【０００５】
応用製品としてパック類・化粧水類・クリーム類・乳液類・粉類・軟膏類等
に応用できる。着色顔料である、有機色素、無機色素、タール系色素等、防
腐剤であるパラオキシ安息香酸エステル類、フェノキシエタノール、シリコ
ーン類のジメチルポリシロキサン、メチルフェニルポリシロキサン、メチコ
ン、環状シリコーン等、炭化水素類の流動パラフィン、パラフィン、べトロ
ラタム、イソパラフィン、植物油類のオリーブスクワラン、米胚芽油、ホホ
バ油、ヒマシ油、オリーブ油、グレーブシード油、ツバキ油、ゴマ油、ロウ
類のミツロウ、木ロウ，カルナバロウ、キャンデリラロウ、エステル類の酢
酸エステル、カプロン酸エステル、カプリル酸エステル、カプリン酸エステ
ル、ラウリン酸エステル，ミリスチン酸エステルパルミチン酸エステル、ステ
アリン酸エステル、オレイン酸エステル、及びエステルの脂肪酸の異性体等、
アルコール類の低級アルコールより高級アルコール類のセタノール、ステア
リルアルコール、ステロール類のコレステロール、フィトステロール等及びそ
の誘導体、硬化油及びその水添品等、高級脂肪酸とその異性体であるラウリン
酸、ステアリン酸、バルミチン酸、イソステアリン酸、トリグリセライド類の
トリカプリル・カプリン酸グリセリン等、陰イオン界面活性剤のセチル硫酸ナ
トリウム、ラウリル硫酸ナトリウム、非イオン界面活性剤のPOEアルキルエー
テル、陽イオン界面活性剤の塩化ステアリルジメチルベンジルアンモニューム
等、両性界面活性剤のベタインタイプ等、天然型界面活性剤のレシチン等、無
機塩類等、有機酸及びその塩類等、キレート剤、合成、天然物の増粘剤、１価、
２価、３価の多価アルコール、ビタミン類とそのエステル及び塩等を本発明の
目的を達成する範囲で任意に配合する事が出来る。
(57)【要約】      （修正有）【課題】  水素ガス並びに酸化アルミや水酸化アルミを含むアルミ化合物の製造において、原料、装置及び運転に係るコストの低減を図る。【解決手段】  原料として安価な屑アルミを使用し水と接触させるとともに、反応促進手段として再利用可能な触媒（水銀等）と反応を促進する作用をなす添加剤（クエン酸等）を加えることにより水素ガス、並びに副産物であるアルミ化合物の微粒子を製造する。また、反応装置は常温常圧で動作する単純で安価な装置とする。副生アルミ化合物微粒子は容易に金属アルミもしくはその他のアルミを原料とする製品の製造に利用する事ができる。【選択図】  図１
2006321701.tif 000002
【特許請求の範囲】
【請求項１】
常温常圧若しくは温度、圧力等を適宜加減した環境において、塊、板、片、粉末等の任意の形状のアルミを水中に投入若しくは水と接触させると共に、アルミと水の反応を促進する作用をなす触媒、及びアルミと触媒の反応を促進する作用をなす添加剤を加えることによりアルミと水の反応を促進して、該反応過程を通じて水素ガス、並びに酸化アルミや水酸化アルミを含むアルミ化合物の微粒子を生成することを特徴とするアルミと水を原料とする水素ガス製造方式。
【請求項２】
上記触媒は、水銀若しくはこれと同様の反応促進作用をなす代替品を用いたことを特徴とする請求項１記載のアルミと水を原料とする水素ガス製造方式。
【請求項３】
上記添加剤は、クエン酸若しくはこれと同様の酸化皮膜溶解作用を有する柑橘類を含む果実等の搾汁、塩酸、硫酸、その他の酸性剤を含む代替品を使用することを特徴とする請求項１及び２記載のアルミと水を原料とする水素ガス製造方式。
【発明の詳細な説明】
【技術の分野】
【０００１】  本発明は、アルミと水を原料として、これら相互の反応過程を通じて水素ガス並びに酸化アルミや水酸化アルミを含むアルミ化合物を製造する方式に関する。
【背景技術】
【０００２】  従来の水素を製造する技術としては、水を電気分解して製造する方式、メタノールを改質器に通して製造する方式、都市ガスや天然ガスを分解して製造する方式、太陽光とセラミック触媒を用いて水から製造する方式、微生物の作用を利用して製造する方式などがあった。
【発明の開示】
【発明が解決しようとする課題】
【０００３】  従来の技術にあっては、何れも装置若しくは運転に相当の費用がかかるため、生産された水素ガス等の価格の低減には限界があり、産業上の大きな課題となっていた。
【課題を解決するための手段】
【０００４】  常温常圧下においては、アルミと水とはほとんど反応しないが、本発明は、触媒及び添加剤を用いてこれらのアルミと水の反応を常温常圧下、若しくは必要に応じて温度、圧力等を適宜加減した環境において著しく促進させ、この反応過程を通じて水素ガス及びアルミ化合物を容易かつ安価に製造する方式を提供するものである。  触媒としては水銀を利用してアルミ材をアマルガム化することによりアルミと水の反応を促進すると共に、アルミ及び水銀の表面に形成されていてアマルガム化反応を阻害する要因となっている酸化アルミ皮膜及び酸化水銀皮膜を、クエン酸等の添加剤を水に加えて酸性溶液とすることにより溶解除去して該アマルガム化反応を促進する。
【発明の効果】
【０００５】（１）  原料として安価な屑アルミ等と水が利用できると共に、装置が単純安価であるうえ、特別な加熱や加圧が原則として不要でその運転コストも安価なため、水素ガスの製造コストを大幅に低減する効果がある。（２）  水素ガス製造工程の副産物として生成される酸化アルミ、水酸化アルミを含むアルミ化合物微粒子を原料として、容易に金属アルミ若しくはその他のアルミを原料とする製品が製造できるので、アルミ再生コストを低減し、資源の有効利用に寄与する効果がある。（３）  水とアルミを投入して走行する方式の自動車を含む移動体の動力源に利用できるなど、産業上の効果は大きい。
【発明を実施するための最良の形態】
【０００６】  触媒として使用する水銀と反応しにくいと共に、酸性水溶液に侵されないガラス、プラスチック、ステンレス、その他の密閉容器（１）に、適宜の量の水を入れ、これにクエン酸その他の酸性溶液化添加剤を数パーセントから数十パーセント溶解させて酸性の水溶液（２）とし、これに適量の触媒（３）として作用する水銀を投入しておき、これに塊、板、片、粉末等の任意の形状のアルミ材料（４）を適宜の量投入する。  投入されたアルミ（４）及び触媒（３）である水銀の表面に形成されてアマルガム化を阻害している酸化アルミ皮膜及び酸化水銀皮膜は該酸性水溶液（２）により溶解除去されて、アルミと水銀が直接接触するようになり、アルミ材料のアマルガム化が促進され、その結果アルミ材料（４）と水溶液（２）の反応を活発化する。すなわち、アルミ（４）は水溶液（２）と反応し、水溶液（２）から酸素若しくは水酸基を奪って酸化アルミ若しくは水酸化アルミを含むアルミ化合物微粒子（５）となると共に、余剰となった水素は水素ガス（６）となり、泡となって水面に浮上し、密閉容器（１）内の水面上に溜まる。  しかして、密閉容器（１）の水面の上方部に１開口（７ａ）を有する管（７）を設置し、該管（７）の他端の開口（７ｂ）を該密閉容器（１）の外部に配置すれば、発生した水素ガスを取り出すことができる。  密閉容器（８）は開口（７ｂ）から噴出したガスを水（１０）を通して漉して、ガス中の不純物を除去するための簡易なろ過器である。ろ過器から管（９）の開口（９ｂ）から取り出された水素ガス（６）は、そのまま燃料電池や水素エンジンなどの水素ガスの消費体に直接供給してもよいし、またボンベなどに充填して他へ移動してもよい。  以上は、本方式の基本構成並びに基本作用を説明したが、装置の連続動作や自動運転を行い、水素ガス等（６、５）のより効率的な、かつ、高純度生産物の生産を実現するためには、水及び添加剤の補充、反応促進のための水溶液（２）及びアルミ（４）の攪拌、アルミ化合物微粒子（５）と水溶液（２）との混合液の取り出しと処理、触媒（３）の補給や回収、不純物除去手段の設置、その他の自動制御設備の設置等が必要であるが、これ等は何れも既存の各種技術、手段が利用できるので、ここでは説明を省略する。  また、上記反応は常温常圧の環境下で問題なく生起するが、更に反応効率を上げる手段として温度、圧力等を適宜加減した環境を作ってやってもよい。
【図面の簡単な説明】
【０００７】
【図１】は、本発明の基本構成を示した図である。
【符号の説明】
【０００８】１と８は密閉容器２は酸性水溶液３は触媒４はアルミ材料５はアルミ化合物微粒子６は水素ガス７と９は管１０は水
【図１】
2006321701.tif 000003
(57)【要約】【課題】    従来の抗菌防カビ剤は  蓄積毒や環境汚染の元と成った。それは  それらが元来持つ毒性に起因がある。安全無害で徐放性・永続性な抗菌防カビ剤が望まれている。【解決手段】本発明のものは  抗菌防カビ剤の原料として  必須アミノ酸と必須ミネラルのみ採用し  その錯体をして抗菌防カビ剤としている。それによって安全無害で  且つ徐放性・永続性を得た。【選択図】  なし【特許請求の範囲】
【請求項１】
下記の一般式で表されるアミノ酸がナトリウム、カルシウム、カリウム、鉄、マグネシウム、亜鉛又は銅イオンに配位して成る  金属錯体である抗菌防カビ剤。
バリン：          （ＣＨ３）２ＣＨ  ＣＨ（ＮＨ２）ＣＯＯＨ
ロイシン：        （ＣＨ３）２ＣＨＣＨ２ＣＨ（ＮＨ２）ＣＯＯＨ
イソロイシン：    ＣＨ３ＣＨ２ＣＨ（ＣＨ３）ＣＨ（ＮＨ２）ＣＯＯＨ
トレオニン：      ＣＨ３ＣＨ（ＯＨ）ＣＨ（ＮＨ２）ＣＯＯＨ
リジン：          ＮＨ２（ＣＨ２）ＣＨ（ＮＨ２）ＣＯＯＨ
フェニルアラニン：（Ｃ６Ｈ５）ＣＨ２ＣＨ（ＮＨ２）ＣＯＯＨ
トリプトファン：  （ＮＣ６Ｈ６）ＣＨ２ＣＨ（ＮＨ２）ＣＯＯＨ
メチオニン：      ＣＨ３ＳＣＨ２ＣＨ２ＣＨ（ＮＨ２）ＣＯＯＨ
システイン：      ＨＳＣＨ２ＣＨ（ＮＨ２）ＣＯＯＨ
チスチン：        ＳＣＨ２ＣＨ（ＮＨ２）ＣＯＯＨ
ＳＣＨ２ＣＨ（ＮＨ２）ＣＯＯＨ
【発明の詳細な説明】
【技術分野】
【０００１】  本発明は  医療施設・食品加工場・容什器などを衛生的に良好な状態とする為施される抗菌防カビ剤について  誤って摂取しても  安全無害な薬剤を提供するものである。
【発明の開示】
【発明が解決しようとする課題】
【０００２】  従来  医療施設・食品加工場・容什器などの衛生状況を改善する為に  大別して  次の５種の薬剤が採用されていた。
▲１▼過酸化物、  ▲２▼石炭酸系化合物、  ▲３▼ハロゲン系有機化合物、  ▲４▼砒素系有機化合物、  ▲５▼水銀、銀などの  必須ではない金属とその化合物
しかし  それらは  少量且つ短期間の使用では  害も少なく有益であるが、効果が持続しない故に  頻繁に施す必要があり、常用すれば  蓄積毒や環境汚染の副作用の虞がある。
従って  常用しても安全無害で  且つ持続性のある抗菌防カビ剤の開発が待たれていた。
【課題を解決するための手段】
【０００３】  安全無害である為に  抗菌防カビ原料として  必須アミノ酸と必須ミネラルのみを採用する事により、蓄積毒にも環境汚染にも成らず、程々の溶解度を選ぶ事により  徐放性・持続性もあり、安全無害で永続な抗菌防カビ剤を得る。
【発明の効果】
【０００４】  錯体の配位子に必須アミノ酸を採用すれば  媒体との親和性がよく  成形・塗装・含浸・散布・霧化の何れの場合でも分散し易く、溶出性・徐放性・永続性も選択が可能となる。【０００５】  必須ミネラルとして  銅及び亜鉛を採用する事で  充分な抗菌防カビ効果が得られ、且つ  誤って生体内に摂取される事が有っても  必須ながら不足に成り易い銅と亜鉛はサプリメントとして積極的に摂取を促される程であるから、なんら案ずることは無い。【０００６】  配位子と金属を選択し  単一又は複合で錯体化する事により  媒体に対する溶解度・親和度  更に  電解度を調整する事ができ、徐放性・永続性を操縦する事が可能である。
【発明を実施するための最良の形態】
【０００７】  アミノ酸を２モル、金属を１モルからなる錯体は  配位式［Ｚｎ（ＮＨ２ＣＨＲＣＯＯ）２］で表記され、Ｒにアルキル基など種々の側鎖が充当される。
【実施例１】
【０００８】  バリン２モルとカルシウム１モル：    ［Ｃａ｛（ＣＨ３）２ＣＨＣＨ（ＮＨ２）ＣＯＯ｝２］
【実施例２】
【０００９】  ロイシン２モルとカリウム１モル：    ［Ｋ｛（ＣＨ３）２ＣＨＣＨ２ＣＨ（ＮＨ２）ＣＯＯ｝２］
【実施例３】
【００１０】  イソロイシン２モルと鉄１モル：      ［Ｆｅ｛ＣＨ３ＣＨ２ＣＨ（ＣＨ３）ＣＨ（ＮＨ２）ＣＯＯ｝２］
【実施例４】
【００１１】  トレオニン２モルとマグネシウム１モル：［Ｍｇ｛ＣＨ３ＣＨ（ＯＨ）ＣＨ（ＮＨ２）ＣＯＯ｝２］
【実施例５】
【００１２】  リジン２モルと亜鉛１モル：            ［Ｚｎ｛ＮＨ２（ＣＨ２）ＣＨ（ＮＨ２）ＣＯＯ｝２］
【実施例６】
【００１３】  メチオニン２モルと銅１モル：          ［Ｃｕ｛ＣＨ３ＳＣＨ２ＣＨ２ＣＨ（ＮＨ２）ＣＯＯ｝２］
(57)【要約】【課題】          サーフボードは、テールロッカーの反りが少ないと直進性とスピードが得られ、反りが強いと回転性が得られる。しかし、現在のすべてのサーフボードは、均一の素材で作られているため、テールロッカーもまた一定の形のものになっている。【解決手段】      サーフボードの後方反り部表面に滑走面にまで達する溝を堀り、その溝の中に本体よりも柔軟性のある柔らかい素材のものをサンドイッチすることにより、直進性とスピードを得る形に作れ、使用者がターンをしようとする際には、サーフボードテール表面に重心が掛かり、その裏面に掛かる水圧によりサーフボードのテールロッカーの反りは強くなり、回転性も合わせ持つサーフボードを作ることができた。【選択図】        図２
2006321463.tif 000002
【特許請求の範囲】
【請求項１】
サーフボードが水面を滑走する際に、従来の物より、体重の掛け具合により、一段と容易に直進生の速度を活かしながら、回転性を兼ね備えることができることを特徴とするサーフボード。
【発明の詳細な説明】
【技術分野】
【０００１】    本発明は、サーフボードに関するものである。さらに詳しくは、サーフボードのテールロッカー（後方の反り）に関するものである。
【背景技術】
【０００２】    サーフボードのテールロッカーは、制作者がその経験や使う人の意見や好みを聞き、適当と思われる形に作られている。そして現在、市販されているすべてのサーフボードが均一の素材で作られているため、テールロッカーもまた、単一なものになってしまう。
【発明の開示】
【発明が解決しようとする課題】
【０００３】    従来のサーフボードは、単一な形をしているため、直進性と回転性のバランス、また、性能も与えられただけのものになってしまう。
【課題の解決するための手段】
【０００４】    途上の目的を達成するために、本発明にかかるサーフボードは、水面を滑走時に速度を得て滑走し、また、ターンをする時には、回転性も得られるものが望ましい。
【発明を実施するための最良の形態】
【０００５】      図１は、本発明の全体図で、使用上乗る方の面を表面とする。【０００６】      図２を参照して説明すると、サーフボードの表面のテールエンドから５センチ付近に、Ａのように滑走面に到達するまでの溝をいれる。そして、切り取られた溝面をサーフボード本体Ｓの表面と同様の仕上げを施し、本体より柔らかい弾力のあるゴム、またはゴムと性質の似ている素材を、溝の形に成形し、接着する。【０００７】      そうすることにより、サーフボードのテールは表面方向にフレックスするようになる。
【発明の効果】
【０００８】      以上、詳細に記述したように本発明のサーフボードは、テールエンドが表面方向にフレックスするため、そのテール部の反りを直進性とスピードを得られる形に作ることができある。なおかつ、ターンをする際には回転性も得られるため、商品としても、乗り手にも、充分満足させられることになる。
【図面の簡単な説明】
【０００９】
【図１】    本発明のサーフボードの全体図である。
【図２】    本発明の斜視の要部拡大図である。
【符号の説明】
【００１０】    Ｓ          サーフボード
Ａ          切り取り部
【図１】
2006321463.tif 000003
【図２】
2006321463.tif 000004